(57)【要約】汗に由来するアンモニア及び尿素を酸化するのに適合した細菌を用いることで、対象者の極めて近くにおける一酸化窒素及び一酸化窒素前駆体の発生により健康を促進する方法が記載されている。局所及び全身的な作用は、例えば、血管疾患の減少、生殖機能の促進、皮膚の健康の向上、及び性感染症の伝染の低減が挙げられる。【特許請求の範囲】
【請求項１】
対象者に対して一酸化窒素を供給する方法であって、アンモニア酸化細菌を対象者の極めて近くに置くことを含んで成る方法。
【請求項２】
前記アンモニア酸化細菌を置く行為は：アンモニア酸化細菌を対象者の表層に対して、当該細菌が表層上のアンモニア、アンモニウム塩もしくは尿素のいずれかを、一酸化窒素、一酸化窒素前駆体もしくはその組み合わせのいずれかへの代謝を起こす有効な量において、適用することを含んで成る、請求項１記載の方法。
【請求項３】
前記細菌を適用する行為が、適切な担体中の細菌を適用することを含んで成る、請求項２記載の方法。
【請求項４】
前記細菌を適用する行為が、ニトロソモナス（Ｎｉｔｒｏｓｏｍｏｎａｓ）、ニトロソコッカス（Ｎｉｔｒｏｓｏｃｏｃｃｕｓ）、ニトロソスピラ（Ｎｉｔｒｏｓｏｓｐｉｒａ）、ニトロソシスチス（Ｎｉｔｒｏｓｏｃｙｓｔｉｓ）、ニトロソロブス（Ｎｉｔｒｏｓｏｌｏｂｕｓ）、ニトロソビブリオ（Ｎｉｔｒｏｓｏｖｉｂｒｉｏ）、及びその組み合わせのいずれからなる群から選択した細菌を適用することを含んで成る、請求項２記載の方法。
【請求項５】
前記細菌を表層に対して適用する行為が、当該細菌を皮膚、毛髪、又はその組み合わせに対して適用することを含んで成る、請求項２記載の方法。
【請求項６】
前記細菌を適用する行為が、実質的に純粋な細菌を適用することを含んで成る、請求項２記載の方法。
【請求項７】
前記細菌を適用する行為が、
当該細菌を物品に対して適用し；そして
当該物品と対象者の表層を接触させること
を含んで成る、請求項２記載の方法。
【請求項８】
前記細菌を適用する行為が、酸と混合した細菌を適用することを含んで成る、請求項２記載の方法。
【請求項９】
前記適用する行為が、更に尿、糞便、血液、傷の分泌物、月経の分泌物、膣の分泌物、局所適用混合物、及びその組み合わせのいずれかを代謝することを含んで成る、請求項２記載の方法。
【請求項１０】
尿素、亜硝酸塩、乳酸、硝酸塩、塩、鉄塩、アンモニウム塩、及びその組み合わせのいずれから選択した汗の成分の化合物を、前記対象者の表層に対して適用する行為を更に含んで成る、請求項２記載の方法。
【請求項１１】
前記細菌を適用する行為が、ヒトではない脊椎動物である対象者に対して当該細菌を適用することを含んで成る、請求項２記載の方法。
【請求項１２】
尿素又は金属塩の少なくとも１つを、対象者の表層に対して前記細菌の増殖を刺激するのに有効な量において適用することを更に含んで成る、請求項２記載の方法。
【請求項１３】
対象者の表層に対して前記細菌を適用する行為が、当該細菌をヒトの皮膚、毛髪、又はその組み合わせに対して適用することを含む、請求項５記載の方法。
【請求項１４】
前記細菌を適用する行為が、当該細菌を対象者に対して適用することを含んで成り、ここにおいて当該対象者は、血管疾患、インポテンス、不妊症、又はその組み合わせのいずれから選択した疾患を有する、請求項５記載の方法。
【請求項１５】
前記物品と対象者の表層を接触させる行為が、更に前記細菌と当該対象者の表層を接触させることを含んで成る、請求項７記載の方法。
【請求項１６】
前記物品と対象者の表層を接触させる行為が、更に当該対象者の表層からの流体排泄物と当該細菌を接触させることを含んで成る、請求項７記載の方法。
【請求項１７】
前記細菌を適用する行為が、当該細菌を衣類の物品に適用することを含んで成る、請求項７記載の方法。
【請求項１８】
前記酸と混合した細菌を適用する行為が、乳酸と混合した当該細菌を適用することを含んで成る、請求項７記載の方法。
【請求項１９】
前記化合物及び細菌を適用する行為が、化合物及び当該細菌を混合物において適用することを含む、請求項１０記載の方法。
【請求項２０】
前記細菌をヒトではない脊椎動物の表層に対して適用する行為が、当該細菌を皮膚、羽毛、毛髪、毛衣、うろこ又はその組み合わせのいずれかに対して適用することを含んで成る、請求項１１記載の方法。
【請求項２１】
前記細菌を適用する行為が、当該細菌を脇の下の表層に適用することを含んで成る、請求項１３記載の方法。
【請求項２２】
前記細菌を衣類の物品に対して適用する行為が、当該物品を着用し、そして当該細菌で当該物品を含浸する行為を含んで成る、請求項１７記載の方法。
【請求項２３】
前記細菌を衣類の物品に対して適用する行為が、当該物品を着用し、そして当該細菌で当該物品を被覆する行為を含んで成る、請求項１７記載の方法。
【請求項２４】
前記細菌を適用する行為が、当該細菌をオムツへ適用することを含んで成る、請求項１７記載の方法。
【請求項２５】
前記細菌を適用する行為が、当該細菌を、靴、スニーカー、ベルト、帽子、下着、パジャマ、運動着、靴下、靴インサート（ｓｈｏｅ ｉｎｓｅｒｔ）、包帯、フェースマスク、スカーフ、タンポン及びコンドームのいずれから選択した衣類の物品に対して適用することを含んで成る、請求項１７記載の方法。
【請求項２６】
前記細菌を適用する行為が、当該細菌を寝具、汚物用、衣類の物品、又は住居のいずれかに適用することを含んで成る、請求項２０記載の方法。
【請求項２７】
前記物品を含浸する行為が、当該物品と細菌を含有する培養培地を接触させることを含む、請求項２２記載の方法。
【請求項２８】
前記物品と細菌を含有する培養培地を接触させる行為が、動物肥料を利用することを含んで成る、請求項２７記載の方法。
【請求項２９】
前記物品と細菌を含有する培養培地を接触させる行為が、当該物品と実質的に純粋な細菌株を接触させることを含んで成る、請求項２７記載の方法。
【請求項３０】
前記細菌を置く行為は：前記アンモニア酸化細菌を対象者の表層に対して、細菌が表層上の通常の体の分泌物を一酸化窒素、一酸化窒素前駆体又はその組み合わせのいずれかへと代謝する有効な量において適用することを含んで成る、請求項２記載の方法。
【請求項３１】
前記細菌を適用する行為が、当該細菌を入浴の間隔に皮膚に対して適用することを含んで成る、請求項３０記載の方法。
【請求項３２】
通常の皮膚の分泌物の成分を代謝する行為が、汗の成分を代謝することを含んで成る、請求項３０記載の方法。
【請求項３３】
前記細菌を入浴の間隔で適用する行為が、当該細菌を約１日以上の間隔で適用することを含む、請求項３１記載の方法。
【請求項３４】
前記代謝する行為が、尿素、亜硝酸塩、乳酸、硝酸塩、塩、鉄塩、アンモニウム塩、及びその組み合わせのいずれから選択した汗の成分を代謝することを含んで成る、請求項３２記載の方法。
【請求項３５】
前記細菌を入浴の間隔で適用する行為が、当該細菌を約１週以上の間隔で適用することを含で成る、請求項３３記載の方法。
【請求項３６】
前記細菌を適用する行為は、細菌を、入浴能力を欠く、移動障害を持つ、又は包帯をしている対象者に対して適用することである、請求項３１記載の方法。
【請求項３７】
前記細菌を適用する行為が、当該細菌を局所的に性行為を行う前に性器に対して適用することを含んで成る、請求項３０記載の方法。
【請求項３８】
前記細菌を適用する行為が、当該細菌を局所的にペニスに対して適用することを含む、請求項３０記載の方法。
【請求項３９】
前記細菌を適用する行為が、当該細菌を局所的に膣に対して適用することを含んで成る、請求項３０記載の方法。
【請求項４０】
尿素、アンモニウム塩、ナトリウム、カリウム、マグネシウム、カルシウム、リン酸塩、塩化物、硫酸塩、微量無機塩類、鉄、銅、亜鉛、コバルト、マンガン、モリブデン、緩衝剤、及びその組み合わせのいずれかを、前記対象者の表層に対して、前記細菌の増殖を刺激する有効な量において適用することを更に含んで成る、請求項２記載の方法。
【請求項４１】
対象者の表層に対して適用する製剤であって、汗を、存在する時に、一酸化窒素、一酸化窒素前駆体、又はその組み合わせへと代謝するアンモニア酸化細菌を含んで成る製剤。
【請求項４２】
前記製剤が化粧品組成物、ボディーデオドラント、又は運動用製剤（ａｔｈｌｅｔｉｃ　ｐｒｅａｒａｔｉｏｎ）のいずれかである、請求項４１記載の製剤。
【請求項４３】
前記細菌が、ニトロソモナス、ニトロソコッカス、ニトロソスピラ、ニトロソシスチス、ニトロソロブス、ニトロソビブリオ、及びその組み合わせのいずれから選択されている、請求項４１記載の製剤。
【請求項４４】
前記汗の成分が、尿素、亜硝酸塩、乳酸、硝酸塩、塩、鉄塩、アンモニウム塩、及びその組み合わせのいずれから選択されている、請求項４１記載の製剤。
【請求項４５】
水、鉱物油、着色剤、香料、アロエ、グリセリン、塩化ナトリウム、ｐＨ緩衝剤、ＵＶ吸収剤、シリコーン油、天然油、ビタミンＥ、ハーブの濃縮物（ｈｅｒｂａｌ　ｃｏｎｃｅｎｔｒａｔｅｓ）、乳酸、クエン酸、タルク、粘土、炭酸カルシウム、炭酸マグネシウム、一酸化亜鉛、デンプン、尿素、亜硝酸塩、硝酸塩、鉄塩、アンモニウム塩、及びその組み合わせのいずれから選択した少なくとも１つ以上の成分を更に含んで成る、請求項４２記載の製剤。
【請求項４６】
前記製剤が、粉末状、クリーム、棒状、エアロゾル、又は軟膏である、請求項４２記載の製剤。
【請求項４７】
前記対象者の表層がヒトの表層である、請求項４１記載の製剤。
【請求項４８】
水、鉱物油、着色剤、香料、アロエ、グリセリン、塩化ナトリウム、ｐＨ緩衝剤、ＵＶ吸収剤、シリコーン油、天然油、ビタミンＥ、ハーブの濃縮物、乳酸、クエン酸、タルク、粘土、炭酸カルシウム、炭酸マグネシウム、一酸化亜鉛、デンプン、尿素、亜硝酸塩、硝酸塩、鉄塩、アンモニウム塩、及びその組み合わせのいずれから選択した成分を更に含んで成る、請求項４１記載の製剤。
【請求項４９】
更に、尿素、アンモニウム塩、ナトリウム、カリウム、マグネシウム、カルシウム、リン酸、塩化物、硫酸塩、微量無機塩類、鉄、銅、亜鉛、コバルト、マンガン、モリブデン、緩衝剤、及びその組み合わせのいずれから選択した少なくとも一つの化合物を更に含んで成る、請求項４１記載の製剤。
【請求項５０】
衣類の物品であって、アンモニア、アンモニウム塩、又は尿素のいずれかを一酸化窒素、一酸化窒素前駆体、又はその組み合わせへと代謝することに適合した細菌で処理した衣類の物品を含んで成る、衣類の物品。
【請求項５１】
アンモニア、アンモニウム塩、又は尿素は、汗、尿、糞便、血液、傷の分泌物、月経の分泌物、膣の分泌物、局所適用混合物、及びその組み合わせのいずれかの成分である、請求項５０記載の物品。
【請求項５２】
前記衣類の物品がオムツである、請求項５０記載の物品。
【請求項５３】
前記物品が、靴、スニーカー、ベルト、帽子、下着、運動着、靴下、靴インサート、包帯、フェースマスク、スカーフ、タンポン及びコンドームのいずれから選択されている請求項５０記載の物品。
【請求項５４】
前記細菌がアンモニア酸化細菌である、請求項５０記載の物品。
【請求項５５】
尿素、亜硝酸塩、乳酸、硝酸塩、塩、鉄塩、アンモニウム塩、及びその組み合わせの少なくとも一つを更に含んで成る、請求項５０記載の物品。
【請求項５６】
前記細菌が、ニトロソモナス、ニトロソコッカス、ニトロソスピラ、ニトロソシスチス、ニトロソロブス、ニトロソビブリオ、及びその組み合わせのいずれから選択されている、請求項５４記載の物品。
【発明の詳細な説明】
【０００１】
本発明は、２０００年８月１１日に出願された米国仮出願第６０／２２４，５９８号の優先権を主張する。
【０００２】
発明の分野
本発明は、一酸化窒素及び一酸化窒素前駆体の生産を対象者の表層で高めるアンモニア酸化細菌を含有する組成物並びにそれを適用する方法に関連する。
【０００３】
背景
有利な細菌は病原性の細菌微増殖を抑制する為に適用されてきた。細菌及び他の微生物は環境中に遍在する。病原性の細菌の発見及び微生物病原論は、健康及び病状に多大な影響を有する。細菌は全生物の通常の腸の含有物の一部である。これらの細菌は通常の条件下では病原性ではなく、実際には腸の含有物を疾患の原因となる生物に対する快適性が少ない状態にし、健康を向上する。これは様々な方法：栄養素が消費され、病原体の為には少ない状態にし；病原体に適さない条件、例えばｐＨ、酸素張力（ｏｘｙｇｅｎ ｔｅｎｓｉｏｎ）が生じ；病原体に対しては毒性の在る化合物が生産され；病原体はこれらの微生物によって食物として消費され；病原体に有効な物理的空間が残らず；そして特異的な結合部位が占拠され、病原体の為の部位が少なくなること、において達成されている。これら望ましい細菌の存在は疾患状態を予防することにおいて有用であるとして考えられている。
【０００４】
食品の発酵は、所望の非病原性の株で潜在的腐敗又は病原性の生物を取って代えることにより行われている。醸造酒、ワイン、漬物、発酵乳産物、例えばチーズ、ヨーグルト、バターミルク、ソーセージは全て、所望の微生物を意図的に食品中へそれらの増殖に有利であり且つ腐敗及び病原性の株の増殖を抑制する条件下で接種した例である。有害な細菌の増殖を抑制する所定の細菌を開示している米国特許は、１９７６年１０月５日にＦａｒｒへ付与された米国特許第３，９８４，５７５号、１９８７年８月２５日にＮｕｒｍｉらへ付与された米国特許第４，６８９，２２６号、１９９４年６月２１日Ｇｒａｈｎらへ付与された米国特許第５，３２２，６８６号、１９９５年９月１９日にＳｔｅｒｎらへ付与された米国特許第５，４５１，４００号、１９９７年２月１８日にＮｉｓｂｅｔらへ付与された米国特許第５，６０４，１２７号、１９９８年９月１５日にＴｏｓｉらへ付与された米国特許第５１７，６９１１号１９９３年１月５日にＳｔｅｒｎらへ付与された米国特許第５，８０７，５４６号が挙げられる。
【０００５】
１９９３年１月５日にＴｏｓｉらへ付与された米国特許第５１７，６９１１号は、健常な無症候性の対象者から回収した所定の細菌の適用を開示しており、そして予防薬及び膣内イースト菌感染症を患う女性の膣の領域に対する治癒的な局所適用としての実験に特徴がある。
【０００６】
１９９６年７月９日にＣａｓａｓらへ付与された米国特許第５，５３４，２５３号では、所定のラクトバチルス・ルウテリ（Ｌａｃｔｏｂａｃｉｌｌｕｓ ｒｅｕｔｅｒｉ）株を外から吹き付けること、食物に組み込むこと、卵へ注射することにより、β−ヒドロキシヒドロキシプロピオンアルデヒドとして同定した、抗生物質を生産する為に投与することを開示している。
【０００７】
２０００年６月２７日にＲｅｄｄｙらへ付与された米国特許第６，０８０，４０１号では、様々なプロバイオティクスの薬草及び医薬へのそれらの効果を高める為の添加を開示している。プロバイオティクスは非病原性のラクトコッカス（Ｌａｃｔｏｃｏｃｃｕｓ）、ラクトバチルス（Ｌａｃｔｏｂａｃｉｌｉｕｓ）、ペジオコッカス（Ｐｅｄｉｏｃｏｃｃｕｓ）、ストレプトコッカス（Ｓｔｒｅｐｔｏｃｏｃｃｕｓ）、プロピニバクテリウム（Ｐｒｏｐｉｏｎｉｂａｃｔｅｒｉｕｍ）、ブレビバクテリウム（Ｂｒｅｖｉｂａｃｔｅｒｉｕｍ）、ペニシリウム（Ｐｅｎｉｃｉｌｌｉｕｍ）、及びサッカロミセス（Ｓａｃｃｈａｒｏｍｙｃｅｓ）属並びにこの混合物からなる群から選択されておる。例えば、細菌は薬と共に接種されている又は歯磨き製剤において用いられている。
【０００８】
要約
本発明は、一酸化窒素化合物を対象者に対してアンモニア酸化細菌を当該対象者の表層の極めて近くに置くことによって、供給する方法に関連する。
【０００９】
本発明の他の実施態様は、アンモニア、アンモニウム塩もしくは尿素のいずれかを、一酸化窒素及び／もしくは一酸化窒素前駆体へと代謝するのに適合した細菌で処理した衣類の物品に関連する。
【００１０】
本発明は又対象者の表層に対して適用される、アンモニア、アンモニウム塩もしくは尿素のいずれかを、一酸化窒素及び／もしくは一酸化窒素前駆体へと代謝するのに適合した細菌を含んで成る製剤にも関する。
【００１１】
詳細な説明
本発明は、対象者の表層の極めて近くにおいて、一酸化窒素及び／又は一酸化窒素前駆体の生産を高めるアンモニア酸化細菌を含有する組成物及びそれを利用する方法に関連する。更に詳細には、アンモニア酸化細菌の組成物を、皮膚に対して、入浴中もしくは後に、尿素及び汗の他の成分を亜硝酸塩及び最終的にはＮＯの天然資源をもたらす一酸化窒素（ＮＯ）へと代謝させる為に、適用することである。本発明のある局面は、局所的な一酸化窒素の、皮膚の表層又は近傍での放出を起こすことである。そこでは一酸化窒素は皮膚の中へ分散出来そして局所的並びに全身的な作用を有する。次いで、この自然に生産された一酸化窒素は、一酸化窒素が体によって利用される通常の代謝経路に加わることができる。尿素又はアンモニウム塩を皮膚に添加することは、これらの細菌が硝酸塩を形成する為に利用する更なる基質を提供する。本明細書中で用いた時には、表層に近い相を、隣接する又は極めて近いが、皮膚と接触している必要はないものとして定義している。
【００１２】
本発明は、流温水及び石鹸の出現まで頻繁な入浴が稀であったということの理解により理解されている。（有史および有史以前の９９．９％超を占める）係る条件下では、皮膚は、皮膚の環境に順応する微生物の天然の群生を成長させただろう。豊富なヒトの汗の成分は尿素である。土中では、天然の細菌は尿素に従って活動し、そしてそれをアンモニアに加水分解する。次いでそれは硝酸塩へと酸化され、しかる後に、尚も他の細菌によって急速に酸化されて硝酸塩になる。土中では、全ての窒素含有化合物は最終的に分解されて硝酸塩になる。実際に多くの植物が、それらの窒素源として硝酸塩を吸収する。頻繁に入浴する条件下では、尿素を亜硝酸塩に代謝できる皮膚の細菌が繁殖し且つ増殖するだろう。更なる発汗による通常のｐＨ４．５の汗で湿った時に皮膚上で生じる亜硝酸塩はＮＯを放出するだろう。
【００１３】
一酸化窒素は、皮膚を介して急速に皮膚の毛管に分散する小さな分子である。これらの毛管の拡張が生じるだろうし、並びにＮＯを体の他の領域へと輸送しうるその血液への分散が生じるだろう。運動中に、皮膚の表層での毛管の拡張は、血流促し、皮膚から熱を逃す。
【００１４】
心臓疾患及び他の血管疾患は先進国における死亡の有意な原因である。血管疾患は又、影響を受けた者の為の生活の質における有意な減少を引き起こす。有意な医療資源は予防、治療及びこれらの形態の疾患の原因の調査に充てられている。
【００１５】
運動は長い間、心臓、血管系、及び健康一般対する保護作用があるとして勧められてきた。多くの研究と報告で運動と心臓疾患による死亡の逆相関が示されている。不思議なことに、血管系に対する運動による保護作用は時として一層快活な活動レベルではより低いようだ。一層の快活な生理活動による保護作用の減少は全ての研究では観察されていないが、心臓疾患及び発作の両方が観察されている。最近の、Ｉ−Ｍｉｎ Ｌｅｅらによる研究“Ｐｈｙｓｉｃａｌ Ａｃｔｉｖｉｔｙ ａｎｄ Ｓｔｒｏｋｅ Ｉｎｃｉｄｅｎｃｅ Ｔｈｅ Ｈａｒｖａｒｄ Ａｌｕｍｎｉ Ｈｅａｌｔｈ Ｓｔｕｄｙ”， （Ｓｔｒｏｋｅ． １９９８；２９：２０４９−２０５４）では、発作の発生に対する運動の激しさのＵ字型のカーブが示された。ウォーキングも又、他の運動の形態とは関係なく、発作の発症率を減らすことが観察されている。筆者らがこれらの観察を説明できないばかりか、これらの観察の満足の行く説明はなされてはいない。
【００１６】
心臓疾患による死亡率は往々にして有意な季節的な変動を示す。最近の記事“Ｓｅａｓｏｎａｌ Ｖａｒｉａｔｉｏｎ ｉｎ Ｃｈｒｏｎｉｃ Ｈｅａｒｔ Ｆａｉｌｕｒｅ Ｈｏｓｐｉｔａｌｉｚａｔｉｏｎｓ ａｎｄ Ｍｏｒｔａｌｉｔｙ ｉｎ Ｆｒａｎｃｅ”， Ｆａｂｒｉｃｅ Ｂｏｕｌａｙ， ＭＤ， ら（Ｃｉｒｃｕｌａｔｉｏｎ． １９９９；１００：２８０−２８６．）は６年に渡る、明らかな、冬の月間の死亡率の増加及び夏の月間の減少を示している。フランスの全人口に及んだこの研究では、１月の月間平均のピークは年間平均より２０％高かったことを示している。月間の最小値は８月の平均より１５％低かった。この傾向は研究を行った毎年ごとにおいてそれぞれ明らかであるが、このデータに関する満足の行く説明は供されてはいない。
【００１７】
食事、喫煙、運動、高血圧の制御、既婚であること、性格特徴、遺伝的要因、ウィルスの感染、適度なアルコールの消費は全て、心臓及び血管の疾患関係することが示されてきた。重要な因子が沢山あることで、適切な制御を発見し既知並びに潜在的な未知の絡み合う要因について正すことは難しい。私は、容易に制御でき、血管疾患の様々な等級の間にある矛盾を説明しうる、他の要因を発見した。
【００１８】
身体活動は多くの生理学的な変化を含む。身体活動が増えるにつれ、心臓及び呼吸の速度は増加し、燃料及び酸素を細胞生産活動に供給する。この生産の働きは１００％効率的ではないので、代謝熱もまた増加しそして消散されなければならない。体は、汗の生産を高め、蒸発冷却によりこの熱を消散する。
【００１９】
一方、西洋医学は、運動の敏速な生理学的作用に焦点を当てて来た。発汗もそれ自体提案者を有している。サウナにおけるような周辺温度の上昇は人の健康に良い作用を有することが主張されて来た。実際に、発汗を誘導する高い温度の利用は、石けん及び（温）水道水の導入される前の多くの文化における個人衛生の共通の構成要素であった。トルコ式風呂、フィンランド式サウナ、原住アメリカ人の発汗ロッヂ（Ｎａｔｉｖｅ Ａｍｅｒｉｃａｎ ｓｗｅａｔ ｌｏｄｇｅ）、ロシアンバニア（Ｒｕｓｓｉａｎ ｂａｎｉａ）、及び中央アメリカのテマスカル（Ｃｅｎｔｒａｌ Ａｍｅｒｉｃａｎ ｔｅｎｒａｓｃａｌ）は全て個人の洗浄及び衛生の為の高温の利用の例である。ギリシャ及びロシア風呂は、ＢＣＥ１５世紀に逆のぼる文書記録で類似している。サウナ様療法の健康への影響の説明は、発汗の高まりによる、体からの毒素の「フラッシング」である。
【００２０】
現代医療がヒトの生理機能の理解において多くの進展を遂げている一方、尚も説明されざるものが多く残っている。伝統的な医薬及び措置は往々にして、医療目的の為の試験に対する化合物及び手順の有用な資源である。従って、一酸化窒素の形成及び放出を調節し且つ高める体の天然の能力を向上する方法は、有意且つ広範囲な健康上の利益を持ちうる。
【００２１】
一酸化窒素とヒトの血管系の生理機能との相互作用における理解の進展がなされている。Ｒｏｂｅｒｔ Ｆ． Ｆｕｒｃｈｇｏｔｔ， Ｌｏｕｉｓ Ｊ． Ｉｇｎａｒｎｏ． 及びＦｅｒｉｄ Ｍｕｒａｄの各博士による、一酸化窒素は血管拡張物質であるという発見が１つの進展であり、有機硝酸塩、例えばニトログリセリンの、血管拡張物質としての作用機構の理解、並びに内因性のＮＯの作用時間を高める新薬、例えばバイアグラの為の道を切り開いた。
【００２２】
一酸化窒素は、又ヒトの体の、疾患を生ずる生物に対する自然防御の成分としても関係して来た。書物“Ｎｉｔｒｉｃ Ｏｘｉｄｅ ａｎｄ Ｉｎｆｅｃｔｉｏｎ”， Ｆｅｒｒｉｃ Ｃ． Ｆａｎｇ ｅｄ．， Ｋｌｕｗｅｒ Ａｃａｄｅｍｉｃ／Ｐｌｅｎｕｍ Ｐｕｂｌｉｓｈｅｒｓ， １９９９、においては、多くの疾患を引き起こす生物は、体の一酸化窒素の生産の増加を引き起こすことが記載されている。この生産は健康に良いが、多すぎる一酸化窒素は又ある病状に関連してもいることを証拠が示唆している。
【００２３】
一酸化窒素における概日変化は血圧における概日変化と逆の関係を持つ。健常な個体は、本能性高血圧又は末梢動脈閉塞疾患を有する個体よりも、より高いレベルのＮＯ並びにより高いレベルの概日変化を示す。“Ｒｏｌｅ ｏｆ Ｅｎｄｏｇｅｎｏｕｓ Ｎｉｔｒｉｃ Ｏｘｉｄｅ ｉｎ Ｃｉｒｃａｄｉａｎ Ｂｌｏｏｄ Ｐｒｅｓｓｕｒｅ Ｒｅｇｕｌａｔｉｏｎ ｉｎ Ｈｅａｌｔｈｙ Ｈｕｍａｎｓ ａｎｄ ｉｎ Ｐａｔｉｅｎｔｓ ｗｉｔｈ Ｈｙｐｅｒｔｅｎｓｉｏｎ Ａｔｈｅｒｏｓｃｌｅｒｏｓｉｓ”Ｂｏｄｅ−Ｂｏｇｅｒ ＳＭ， ｅｔ ａｌ． （Ｊ Ｉｎｖｅｓｔｉｇ Ｍｅｄ ２０００ Ｍａｒ ； ４８ （２） １２５−３２）を参照のこと。一酸化窒素の血管系に対する作用は、“Ｎｉｔｒｉｃ Ｏｘｉｄｅ ａｎｄ ｔｈｅ Ｒｅｇｕｌａｔｉｏｎ ｏｆ ｔｈｅ Ｐｅｒｉｐｈｅｒａｌ Ｃｉｒｃｕｌａｔｉｏｎ”， Ｐｈｉｌｌｉｐ Ｊ． Ｋａｄｏｗｉｔｚ ａｎｄ Ｄｅｎｎｉｓ Ｂ． ＭｃＮａｍａｒａ， ｅｄｉｔｏｒｓ， Ｂｉｒｋｈａｕｓｅｒ Ｂｏｓｔｏｎ， ２０００、並びに“Ｔｈｅ Ｈｅａｍｏｄｙｎａｍｉｃ Ｅｆｆｅｃｔｓ ｏｆ Ｎｉｔｒｉｃ Ｏｘｉｄｅ”， ｅｄｉｔｅｄ ｂｙ Ｒｏｂｅｒｔ Ｔ． Ｍａｔｈｉｅ ａｎｄ Ｔｕｄｏｒ Ｍ． Ｇｒｉｆｆｉｔｈ， Ｉｍｐｅｒｉａｌ Ｃｏｌｌｅｇｅ Ｐｒｅｓｓ， １９９９． に記載がある。
【００２４】
一酸化窒素の発生及び放出の制御及び調節は、血圧、血管の緊張、血液の凝固特性及び多数の他の身体機能を適切に維持する方法を供する。しかし一酸化窒素は、生理学的流体中での寿命が短い。
【００２５】
ヘモグロビンは、可逆的に一酸化窒素に結合しＳ−ニトロソヘモグロビンを形成する。この化合物は体のある部分で形成されそして血液により一酸化窒素分圧が下がった、放出される一酸化窒素を分解する領域へと輸送される。次いで、一酸化窒素は、血液の酸素含有率が低い毛管の拡張を生ずる。この拡張で、酸素が減少した、それが最も必要とされている領域への血流を増す。Ｓ−ニトロソヘモグロビンの公知の資源は肺である。一酸化窒素は鼻腔で生産されそして肺で吸収され、血液及び空気の悪い流れを改善することによって肺の機能を向上させる。一酸化窒素は又末梢の循環にも作用する。
【００２６】
一酸化窒素ガスは投与されても良く、吸入の間に鼻腔においても生じ、吸入した空気と共に肺へと引き込まれることが知られている。従って一酸化窒素は肺中吸収されそこでヘモグロビンに結合しそしてＳ−ニトロソ化ヘモグロビンを形成する。これは体内で起こるＳ−ニトロソ化ヘモグロビンを生産する系の最大の源である。以下の米国特許は、一酸化窒素の吸息による様々な生理作用を開示している。１９９５年、６月２７日にＦｒｏｓｔｅｌｌらに付与された特許第５，４２７，７９７号；１９９８年、６月１６日にＰｅｎｎｙ に付与された特許第５，７６５，５８４号；及び１９９９年５月１８日にＺａｐｏｌ らに付与された特許第５，９０４，９３８号。
【００２７】
一酸化窒素の局所投与が知られている。１９９６年５月２１にＳｍｉｔｈ らに付与された米国特許第５，５１９，０２０号には外傷のすぐ近くに置かれ様々な機構により治療力を高める、一酸化窒素放出物質の利用が開示してある。ポリマー性の物質を一酸化窒素が放出される速度を制御する為に用いている。その理由は、一酸化窒素は過剰量においては有毒且つ傷害性でありうるからだ。
【００２８】
１９９７年、７月８日にＦｕｎｇらに付与された米国特許第５，６４６，１８１号は、局所的に適用された時に、高血圧のような全身的な副作用を伴わずに、インポテンスを治療する十分な量において一酸化窒素を放出する局所用薬剤を開示している。
【００２９】
１９９７年、７月１５日にＴａｗａｓｈｉ に付与された米国特許第５，６４８，１０１号は、無機硝酸塩と第一鉄金属を塩の反応により一酸化窒素を遊離させる製品を開示している。これらの製品は、摂取、局所的に適用、座薬として利用、経皮パッチとして適用されて良く、並びに浸透圧ポンプ（ｏｓｍｏｔｉｃ ｐｕｖａｐ）として利用されて良い。
【００３０】
１９９９年、４月６日にＲｕｓｓｅｌｌ に付与された米国特許第５，８９１，４７２号は、局所的に適用した一酸化窒素供与体の、馬の蹄葉炎の治療の為の利用を開示している。
【００３１】
１９９９年、４月２０日にＦｏｓｓｅｌに付与された米国特許第５，８９５，６５８号は、局所的に適用されるＬ−アルギニン、一酸化窒素形態の一酸化窒素合成酵素の生産の為の基質を利用し、冷たくなった皮膚を暖めるもしくは冷やすこと、頭皮上での毛髪の増殖、糖尿病もしくは寝たきりの状態に副次的な下腿潰瘍の治療のような有利な作用、並びに局所的な血液供給の向上に基づく天然の機能の回復による有利な作用、を生ずる目的の為に、皮膚の局所的な血管拡張を引き起こすことが開示されている。
【００３２】
１９９９年、９月２８日 Ｓａｌｚｍａｎらに付与された米国特許第５，９５８，４２７号は、粘膜を通過しないが、皮膚又は粘膜を通過しそして局所的な作用を供する一酸化窒素を放出する一酸化窒素供与体を含有する化合物を開示している。これらの化合物は、催淫薬として適用する為に性器に局所的に用いられても良い又は抗細菌剤として適用する為に口の中で用いられても良い。
【００３３】
２０００年、５月２日にＳｅｌｉｍ らに付与された米国特許第６，０５６，９６６は、男性のインポテンスの治療における、一酸化窒素供与体である局所有機硝酸塩の利用を開示している。これらは、不都合な副作用、例えば高血圧を伴わずに所望の作用を生み出す。
【００３４】
一酸化窒素を放出する化合物は又対象者の体内へ注射されても良い。１９９８年、２月２４日にＧａｒｆｉｅｉｌｄ らに付与された米国特許第５，７２１，２７８号は、一酸化窒素合成の阻害物質の排卵を阻害する為の利用、及び一酸化窒素前駆体の排卵をもたらす為の利用を開示している。
【００３５】
１９９８年、９月１日にＤｅｍｏｐｕｌｏｓ らに付与された米国特許第５，８００，３８５号は、手術による傷の部位を洗浄する為の一酸化窒素供与体を含有する溶液を開示している。一酸化窒素供与体は、それらの抗発作活性の為に溶液中に含まれていて良い。
【００３６】
１９９９年、１月１２日にＤｅｍｏｐｕｌｏｓ らに付与された米国特許第５，８５８，０１７号は、とりわけて泌尿洗浄溶液（ｕｒｏｌｏｇｉｃａｌ ｉｎｒｉｇａｔｉｏｎ ｓｏｌｕｔｉｏｎｓ）中に一酸化窒素供与体を含有する溶液の利用を開示している。
【００３７】
１９９９年、１月１９日にＣｏｏｋｅ らに付与された米国特許第５，８６１，１６８号は、治療した血管の肥大化を抑制しそして血管形成手術処置に対する寛容性を高める冠動脈バルーン血管形成手術（ｃｏｒｏｎａｎｙ ｂａｌｌｏｏｎ ａｎｇｉｏｐｌａｓｔｙ）の間の一酸化窒素前駆体の壁内適用（ｉｎｔｒａｍｕｒａｌ ａｐｐｌｉｃａｔｉｏｎ）を開示している。
【００３８】
様々な症状を治療する為の一酸化窒素の利用が知られている。１９９４年、１月１１日にＦｕｎｇらへ付与された米国特許第５，２７８，１９２は、症状例えば狭心症、特に慢性の、安定な狭心症、虚血性の疾患、うっ血性の心不全の継続的な治療、高血圧及び／又は男性の患者におけるインポテンスの制御の為の有機硝酸塩の利用を開示している。
【００３９】
１９９５年、１月３１日にＭｏｓｋｏｗｉｔｚ に付与された米国特許第５，３８５，９４０号は、一酸化窒素供与体又はＬ−アルギニンを投与することで、発作の間の一酸化窒素合成酵素の基質として働き、一酸化窒素の生産を増大させそして梗塞の程度を下げる血管拡張を引き起こすことを開示している。
【００４０】
１９９７年、５月２７日にＳａａｖｅｄｒａらに付与された米国特許第５，６３２，９８１号は、結合一酸化窒素放出化合物を含有する重合体を開示している。
【００４１】
１９９７年、７月８日にＣｈｏｂａｎｉａｎ らに付与された米国特許第５，６４５，８３９号は、体内で線維症を抑制及び打破するアンギオテンシン変換酵素阻害物質と組み合わせた一酸化窒素供与体及び前駆体の利用を開示している。ここにおいて前記線維症は、心血管の線維症、動脈硬化症による疾患、肺線維症、成人呼吸窮追症候群、炎症性の疾患、強皮症、肝硬変、ケロイド、及び肥大性瘢痕からなる群から選択した疾患に関連する。
【００４２】
１９９７年、７月１５日のＳｔａｍｌｅｒ らの米国特許第５，６４８，３９３号はインポテンスを治療する為のＳ−ニトロシル化合物の利用を開示している。
【００４３】
１９９７年、７月２２日のＫｅｅｆｅｒらの米国特許第５，６５０，４４７号は、再狭窄を治療する一酸化窒素放出する化合物を結合したポリマーの、例えば縫合糸、血管移植、ステント、心臓の弁、薬のポンプ、ドラッグデリバリーカテーテル、自己接着手段、例えば、内管腔移植、リポソーム、微粒子、微小球、ビーズ、ディスク又は他の装置に組み込まれた時の利用を開示している。
【００４４】
１９９８年、８月４日のＷｉｎｋらに付与された米国特許第５，７８９，４４７号は、虚血再灌流傷害（ｉｓｃｈｅｍｉａ ｒｅｆｅｒｆｕｓｉｏｎ ｉｎｊｕｒｙ）に関連する、遊離基が誘導した組織の傷害を抑制する方法を開示している。ここにおいて、前記虚血再灌流傷害は、移植、外傷、炎症、卒中、発作、リウマチ性関節炎、アテローム性動脈硬化症、ガン、痴呆、糖尿病、高血圧性クリーゼ、潰瘍、痕瘡、鎌形赤血球貧血、虚血性腸症候群、肺塞栓症、Ｂａｌｌの症候群、膵炎、心臓発作、及び加齢からなる群から選択した症状又は疾患に関連する。
【００４５】
１９９８年、９月２９日にＧｒｅｅｎ らに付与された米国特許第５，８１４，６６６号は、一酸化窒素放出化合物の抗細菌剤としての利用を開示している。
【００４６】
１９９９年、６月８日にＫｅｅｆｅｒらに付与された米国特許第５，９１０，３１６号は、ペニスに直接用いる一酸化窒素放出剤の利用を開示している。供与手段は経尿道的アプリケーター（ｔｒａｎｓｕｒｅｔｈｒａｌ ａｐｐｌｉｃａｔｏｒ）、ペニス移植片、経皮パッチ及びコンドームからなる群から選択されている。
【００４７】
２０００年、５月２日にＳｔａｍｌｅｒ らに付与された米国特許第６，０５７，３６７号は、窒素的ストレス（ｎｉｔｒｏｓａｔｉｎｅ ｓｔｒｅｓｓ）を操作する様々な方法を開示している。これらの方法は、酸性化亜硝酸塩の口内洗浄剤としての利用、及び酸性化亜硝酸塩＋チオールの混合物の局所適用としての利用を含む。Ｓ−ニトロソチオールは局所的な適用されて良い又は無機硝酸塩、医薬的に許容できる酸及びチオからｉｎ　ｓｉｔｕで形成されて良い。病原性の微生物は又基質を、病原性の微生物の増殖を阻害するニトロセーティング剤（ｎｉｔｒｏｓａｔｉｎｇ ａｇｅｎｔ ）へと転換しうる。
【００４８】
書籍“Ｎｉｔｒｉｃ Ｏｘｉｄｅ ａｎｄ Ｉｎｆｅｃｔｉｏｎ”， Ｆｅｒｒｉｃ Ｃ． Ｆａｎｇ ｅｄ．， Ｋｌｕｗｅｒ Ａｃａｄｅｍｉｃ／Ｐｌｅｎｕｍ Ｐｕｂｌｉｓｈｅｒｓ， １９９９の章題“Ｎｉｔｒｉｃ Ｏｘｉｄｅ ａｎｄ Ｅｐｉｔｈｅｌｉａｌ Ｈｏｓｔ Ｄｅｆｅｎｓｅ”ｂｙ Ｎｉｇｅｌ Ｂｅｎｊａｍｉｎ ａｎｄ Ｒｏｅｌｆ Ｄｙｋｈｕｉｚｅｎにおいて、筆者らは、皮膚上での一酸化窒素の生産の発見、通常の感染制御におけるこの重要性、及び彼らの、酸性化した亜硝酸塩を含有する軟膏は（競技者の足の）足白癬の治療において有効であるという発見を論じている。それらは、皮膚上での亜硝酸塩の正常な生産から皮膚の細菌による汗の硝酸塩から亜硝酸塩への還元に貢献する。硝酸塩を亜硝酸塩へ還元する多くの従属栄養細菌は、例えば大腸菌（Ｅ． ｃｏｌｉ ）であろう。これらの細菌は、通常酸素を、それらの細胞の呼吸の為の電子受容体として用いるが、酸素の不在時には硝酸塩を利用することもできる通性嫌気性細菌である。これら全ての細菌は有機基質をエネルギー及び増殖の為に利用し、そしてこれら多くの細菌は病原性でありうる。口の中では、唾液の亜硝酸塩はこれら通性嫌気性細菌により還元される。これら硝酸塩を還元する細菌は舌上に集成される生物膜の層により嫌気性を保たれている。皮膚の表層は好気的であることが予想されるので、硝酸塩から亜硝酸塩への還元は軽微であるべきだ。ある一酸化窒素は、汗の細菌による還元によって生産されうる一方、汗の尿素の含有率は硝酸塩のそれよりもずっと高い。私は、一層有意な資源、即ち、一層容易且つ安全に刺激されるアンモニア及び尿素酸化細菌により亜硝酸塩を形成する汗の中の尿素の利用であることを発見した。
【００４９】
食物中の亜硝酸塩は急速に除去されそして体によって唾液中で濃縮されている。口の中で、舌上の通性嫌気性細菌は硝酸塩を代謝し亜硝酸塩を形成する。唾液には、有意な亜硝酸塩が含まれており、そして皮膚を舐めた時にＮＯが放出されることが研究で分かっている。このＮＯは、抗微生物及び血管拡張作用を持つことが考えられている。ＮＯの放出は、何故動物（及びヒト）が傷を舐め治療の効果を高めるのかに従い理由づけがなされている。類似して、インポテンスの為の汎用の民間療法は、唾液をペニスに対して直接適用する利用であり、ＮＯ放出が勃起の誘導及び継続をするだろう。
【００５０】
Ｂｅｎｊａｍｉｎ及びＤｙｋｈｕｉｚｅｎは、彼らの章において、食物により生じる疾患を抑制することにおいて唾液の亜硝酸塩が有する役割を論じる上で（この時）胃において、塩化物が高濃度で存在しそしてニトロソ化反応を触媒し、酸性化した亜硝酸塩の毒性を強めうる更なる反応中間体を形成することを指摘している。皮膚上で、塩化物濃度は飽和した塩類溶液の濃度に達することができ、レベルは胃において達することができるよりもとても高い。
【００５１】
入浴は、その主要な目的の１つとして皮膚からの細菌の除去を有する。病原性の細菌は不都合である一方、全ての細菌は病原性ではない。石けん製剤における最近の進展は、石けんへの幅広い抗細菌剤の添加に関連している。入浴は水が担う疾患、例えば、コレラ及び様々な下痢疾患の発生を大いに減少させた。全ての細菌を除去することは、体が生理学的に利用するのに関連する、亜硝酸塩を生産する天然細菌を除去する望ましくない作用を有しうる。
【００５２】
多くのヒトの生理学的に難解な局面は、この精神で理解できうる。急速な治療、感染の制御が最も必要とされており、故にＮＯの生産が必要である体の領域は、足、手、頭皮及び生殖器であり、それらは、冷却を要求されていない時でさえも汗が最も豊富な体の部分である。この理由で尿素、塩化物及び鉄が汗の中にあり、そして汗が低ｐＨを有する。
【００５３】
サウナ及び他の型のスウットバス（ｓｗｅａｔ ｂａｔｈｓ ）は、皮膚上での亜硝酸塩及びＮＯの生産を高める方法として理解できうる。現代のサウナの、石けん及び水道水での洗浄に伴う入浴の儀式の一部としての利用では、係る結果に到達できないであろうし、そして１９世紀以来のみ実行されている。尿素及び亜硝酸塩はとても水溶性であり且つ容易に洗い流されるだろう。サウナの習慣が発展した２０００年以上前には、時には、水道水はなかった。故に、皮膚は可溶性の尿素及び亜硝酸塩を保持しただろうし、そして石けんがないことで細菌も又保持されていただろう。
【００５４】
他の習慣の、はたき、皮膚をやさしくたたくのに用いるカバノキの枝の束の利用は、はたき上に存在する細菌を皮膚に接種する方法として理解できうる。使用する度にはたきは乾燥し、そして生存する細菌は、天然のヒトの皮膚の状態であるほぼ完全に乾燥した条件下での汗の残留物上での生育に必然的に順応するようになるだろう。微生物病原論の出現及び無菌の衛生条件に関して必要な認知は（それによって、多分もはやこの本来の機能を果たさないだろう）係る装置の利用を改良して来た。
【００５５】
発汗の有利な健康への影響は、排泄物の除去によるよりもむしろ、皮膚上のＮＯの生産及び放出の増加に由来するとして理解できうる。排泄物を除去する方法としての発汗は、無意識且つ非効率的な方法であるようだ。体の排泄物を除去する任意の代謝能力を用いるのには不都合な時間であるような高い代謝負荷の間に最大の発汗が生じる。実際は、腎臓は、心臓の出力が不十分な時には、活動を停止する。汗の産出は、日ごと、時間ごと及び分ごとに大いに変化しうる。一時的な発汗事象を見こしての老廃物の蓄積は効率の悪い資源の分配のようである。ストレス事象を見こして生じる神経性の発汗は、ストレス事象に対する体の方法又は、自分自身の準備でありうる。発汗により皮膚が湿めるとＮＯが、新たに発生しそして集積した亜硝酸塩から生じ、次いでＮＯは、血流を高めそしてストレッサーに対して効果的に応答する為に体を備えさせるであろう血管拡張物質として働く。ニトログリセリン等の有機硝酸塩は往々にして、まさしく生理的又は感情的なストレスの前に係る利用の為に処方されており、まさしく係る血管拡張を達成する。
【００５６】
ひいては、発汗は、皮膚疾患に対する原因としてよりもむしろ解決策として促えることができうる。もし、皮膚の内容物のアンモニア及び尿素酸化細菌が、産業革命前のレベルに回復されるならば、その後大量の発汗を伴う体の部分は大量の亜硝酸塩及びＮＯ生産物を有しそしてより早い治癒、よりよい感染抵抗、並びによりよい健康の全身状態にあることが期待される。比較的遅い増殖で発生する係る細菌の不在、他方で従属栄養細菌のより早い増殖は、尿素をかなり有毒であり且つ皮膚を刺激する遊離アンモニアへと加水分解する。従って、汗の残留物を刺激物質にする原因は、適切な細菌の不在である。アンモニアの亜硝酸塩又は硝酸塩への酸化はｐＨを下げ、そして任意の残留する遊離アンモニアを毒性のないアンモニウムイオンに転換する。
【００５７】
皮膚上での形成の後、一酸化窒素は、皮膚の毛管中へと分散し血液により取り込まれて良い。皮膚の毛管は応答中膨らみ、そしてある一酸化窒素は、ヘモグロビンにより取り込まれて体中を循環するだろうし、そして全身的な作用を有するＳ−ニトロソヘモグロビンを形成する。
【００５８】
薄くそして豊富に毛細血管を有する皮膚の領域は、頭部及び頭皮の皮膚である。頭部上の毛髪の存在は、往々にして熱の喪失を制限するとして説明がついている。しかし１つの疑問は、何故、頭皮が毛髪を有して熱の喪失を防ぐ一方で、他の体の部分は本質的に毛がないままなのだろうか。頭部からの有為な熱の喪失がある。おそらく頭皮の皮膚が薄くて、一酸化窒素の血中への急速な分散を可能にする結果だろう。頭皮の連結部（ｓｃａｌｐ ｊｏｉｎｔ）からの血液は心臓及び肺へ入る前に脳からの血液である。脳の血液供給は体に対して最も重要でありそして極端な代謝ストレスの間でさえもほとんど変化しない。脳由来の低い酸素張力を有する血液と頭皮由来の高い一酸化窒素含有率を有する血液とを組み合わせることは、そのようにして生産された一酸化窒素の有効な利用でありうる。一酸化窒素は、又一酸化窒素の資源の極めて近くにおける呼吸の間に空気が吸い込まれる頭部及び顔の周辺の空気中へと放出されうるので、一酸化窒素の濃度は、吸気中で増加するだろう。男性と女性の間で見られる様々な形態の毛髪は、男性は狩猟及び闘いの間の、そして女性は妊娠、労働及び出産の間の様々な形態の最大代謝活性に由来する。吸入された一酸化窒素はウマの為の肺出血の保護物質であると同時に、顔の毛髪上で細菌により放出された一酸化窒素は、高いレベルの身体活動を捉しうる。
【００５９】
多くの頭皮の静脈は頭蓋骨を介して脳の血管の洞に入る。動脈は血液をこれら同じ洞を通過させ脳に運ぶ。この接点は故に、一酸化窒素が頭皮を出発する静脈血から脳に入る動脈血へと分散しうるようなものでありうる。係る分散は、発作に対する適当な動物の保護作用の説明を助けるだろう。次いで頭部上での汗は脳における血管の抵抗を減らすだろう。
【００６０】
毛髪は絶縁物質として理解することができるが、又アンモニア酸化細菌が増殖する表層として理解することもできる。毛髪は又汗が滴り落ちるのを防ぐ吸着物質でもあり且つアンモニア酸化細菌の為の適切なミクロ環境をも担いうる。神経性の汗はアドレナリン経路により仲介されており、そして一般的には頭部及び首上での発汗を刺激する。
【００６１】
冷却を目的としない発汗は、一酸化窒素の生産を促す為の体に関する自然的な方法として理解できうる。マラリアの原因となる生物は一酸化窒素によって影響を受け、そして一酸化窒素合成酵素の阻害物質がマラリアを有する動物に与えられた時に、死亡率は増加している。マラリア（及び他の多くの感染症）の１つの症状である極度の発汗は、体の自然な一酸化窒素を増加する機構の１つとして理解できうる。
【００６２】
ヒトの汗は高濃度の乳酸を含有する。これは汗の、急速に亜硝酸塩を放出ＮＯに分解する４．５の範囲における正常なｐＨを反映している。汗は又豊富に鉄も含有する。摂取した鉄の１／４は汗の中に排泄される。鉄はＮＯと連携しそして鉄−ニトロシル錯体を形成することがよく知られている。一酸化窒素は又は超酸化物と反応しそして超酸化亜硝酸塩（ｐｅｒｏｘｙｎｉｔｒｉｔｅ ）を形成する。水性溶液において、鉄は超酸化亜硝酸塩と他の化合物との反応を触媒し有毒な産物を形成する。皮膚上での多量の鉄及び亜硝酸塩の存在は、皮膚感染症に対する防御の第一線であって良い。
【００６３】
皮膚の外層は生きてはいないので、これら死んだ層の、それらの剥離する前の、一酸化窒素での酸洗い（ｐｉｃｋｌｉｎｇ）及び治癒は、有害な健康への影響を有さない。実際には、亜硝酸塩生産そして故にＮＯ生産の為に細菌に依存し、体の生きてはいない部分を、高いレベルの亜硝酸塩又は一酸化窒素又は毒性のＮＯ反応産物に曝露する必要がある。前記皮膚上で到達できうるレベルは生きている組織に対しては有害であろう。これは皮膚感染症を避ける有効な方法であって良く、ヒトが、頻繁な入浴の不在において活用するのに進化させて来た系でありうる。
【００６４】
血管疾患に対する運動の効果も新たなる見地から見ることが出来うる。適度な活動は、発汗を誘導することにより、ＮＯの生産を増加する運動及び方法である。激しい活動でも又これらのことがなされるが、もし汗が十分に多量であるならば、一般的に入浴は運動の後に行われる。汗を洗い流すことは、このＮＯ産物による保護作用を取り除く。これは、ある研究において見られた、激しい運動による保護作用は、適度な運動と比べた時に低減したことの説明になる。入浴によって、運動による保護作用は高まっているが、ＮＯによる保護作用は低下しいる。それは、ＮＯに由来する皮膚細菌による有利な健康作用が、少なくともある人々においては、運動に匹敵する重要性があることを示しうる。
【００６５】
夏季の心臓疾患の発生率の減少は、皮膚上に在る汗の量及び時間の増加が原因でありうる。アンモニア酸化細菌は増殖が遅いので、それらが増殖するよりも早く容易に洗い流すことができうる。心臓疾患の発生率において見ることができうる毎年の傾向は、この作用が重要である強力な証拠である。
【００６６】
亜硝酸塩は、細菌による様々な方法において生じることができうる。アンモニア又は尿素の酸化によるのが最初である。これは土中でのアンモニアの硝化作用において欠かすことのできない第一段階である。特有の独立栄養細菌がこのアンモニア酸化作用を利用し、そして全てのそれらの代謝に必要なエネルギーを供給する。２番目の型の独立栄養細菌が、この亜硝酸塩を利用し、そして更にそれを硝酸へと酸化し、そしてこのエネルギーをそれらの代謝の為に利用する。他の細菌、従属栄養細菌等は、硝酸塩を亜硝酸塩へ還元する間に、他の化合物を酸化する為に硝酸塩を利用できる。ｐＨ５．５又はそれ以下で亜硝酸塩は、放出ＮＯを分解する。
【００６７】
心臓疾患の発生率の低下は、硝酸塩の細菌による還元により生じた一酸化窒素又は細菌による、アンモニアもしくは尿素からの亜硝酸塩の発生が理由でありうる。もし入浴の長い間隔、例えば何週間もあるならば、独立栄養細菌は、増殖のみが期待され、故に発生率において観察された多くの違いはおそらく汗の亜硝酸塩から生じた一酸化窒素が原因である。しかし、本発明におけるアンモニア酸化細菌の利用は、血管の健康に対するより高レベルに且つ大きな効果を可能にするだろう。
【００６８】
類似の方法が、一酸化窒素を発生する為に用いられている。それは肉を硬化において用いられている。一酸化窒素の一般的な特性、生理学的な特性、化学的な特性、及びその食品の保存における作用の役割と機構は、書籍、Ｊａｃｋ Ｌａｎｄｃａｓｔｅｒ， Ｊｒによって編集された「Ｎｉｔｒｉｃ Ｏｘｉｄｅ Ｐｒｉｎｃｉ ｐａｌｓ ａｎｄ Ａｃｔｉｏｎｓ」、Ａｃａｄｅｍｉｃ Ｐｒｅｓｓ， １９９６ 中に十分記載されている。低ｐＨに到達しそして硝酸塩から亜硝酸塩を生産する従属栄養細菌は、肉を保存することにおいて汎用に用いられている。ここでは、硝酸塩は、酸洗い（ｐｉｃｋｌｉｎｇ）塩水中で亜硝酸塩硬化した肉の独特の色味と風味を生み出す為に肉と反応する放出ＮＯへと還元される。肉の保存において、これらの細菌は純粋菌株として添加されている。ここではそれらが病原性及び腐敗細菌の不都合な増殖を妨害する。ミクロコッカス（Ｍｉｃｒｏｃｏｃｃｕｓ ）の変異体が時々この目的の為に、Ｇｒｙｅｚｋａ らに付与された米国特許第４，１４７，８０７号に記載のように、用いられている。係る細菌は、食品の通常の成分として、皮膚に適用した時又は偶然にも摂取された時に、任意の有害な健康作用を引き起こさないだろうことが期待される。係る細菌の皮膚への適用は、硝酸塩の亜硝酸塩への還元により、皮膚上での一酸化窒素の生産を高めるだろう。ある従属栄養細菌はアンモニアから亜硝酸塩を生産できるが、それらのアンモニアの酸化は、実質的に独立無機栄養のアンモニア酸化細菌のそれよりも遅い。
【００６９】
環境中、アンモニア及び尿素は、ニトロソモナス（Ｎｉｔｒｏｓｏｍｏｎａｓ）、ニトロソコッカス（Ｎｉｔｒｏｓｏｃｏｃｃｕｓ）、ニトロソスピラ（Ｎｉｔｒｏｓｏｓｐｉｒａ）、ニトロソシスチス（Ｎｉｔｒｏｓｏｃｙｓｔｉｓ）、ニトロソロブス（Ｎｉｔｒｏｓｏｌｏｂｕｓ）、及びニトロソビブリオ（Ｎｉｔｒｏｓｏｖｉｂｒｉｏ）により酸化されて亜硝酸塩になる。これらの細菌は全て、二酸化窒素をそれらの主な炭素源として利用する無機栄養のグラム陰性細菌である。環境中、亜硝酸塩は、ニトロバクター（Ｎｉｔｒｏｂａｃｔｅｒ）及びニトロシスチスにより酸化されて硝酸塩になる。ニトロソモナスはこれらの中では、土中で最も多量に存在する型であり、そして正常な皮膚上で最も多量であることが期待されている。これらの細菌は独立栄養、即ち、有機炭素をエネルギーの為に利用しないが、増殖を刺激するある程度迄有機炭素を同化できるものもいる。全ての代謝エネルギーは窒素含有種の酸化から獲得される。大部分の炭素は、このエネルギーを利用する二酸化炭素の固定化に由来する。これらの細菌は、アンモニア、酸素、無機物、及び二酸化炭素のみを必要とするので、それらは完全に非病原性であることが期待される。これらの全てを活用できる体の部分は、皮膚の外部のみである。他の細菌と比較した時に彼らは増殖するのが遅い。大腸菌（Ｅ． ｃｏｌｉ ）は２０分の至適倍加時間を有し、ニトロソモナスは１０時間の至適倍加時間を有する。それらは、グルコース又は他の有機化合物を利用しないので、病原体を単離する為に用いた標準培地上で培養することは難しく且つ増殖せず、有機基質をエネルギー及び増殖の為に利用しない。尿素を又直接利用できる系統もいる。
【００７０】
これら独立栄養のアンモニア酸化細菌は、これらの細菌が要求する皮膚の栄養物を適用することによって刺激できうる。それらの栄養は、例えば尿素、アンモニウム塩、ナトリウム、カリウム、マグネシウム、カルシウム、リン酸、塩化物、イオウ、微量無機塩類、例えば鉄、銅、亜鉛、コバルト、マンガン、モリブデン及び緩衝剤を含有する、例えば、Ａｍｅｒｉｃａｎ Ｔｙｐｅ Ｃｕｌｔｕｒｅ Ｃｏｌｌｅｃｔｉｏｎ標準培養培地、例えば、ＡＴＣＣ１９５３、ＡＴＣＣ９２８、ＡＴＣＣ１５７３、ＡＴＣＣ２２１、ＡＴＣＣ９２２ 中で見出される。これらの栄養物のいくつかもしくは全てを含んで成る製剤もしくは溶液の、皮膚及び頭皮に対する適用は、天然に生ずる独立栄養細菌を刺激し、従属栄養細菌を刺激せずとも亜硝酸塩及び一酸化窒素を形成するだろう。
【００７１】
ニトロバクターは、ｐＨの上昇及び遊離アンモニアにより阻害される。土中ではこれは、硝酸塩と比較した時に完全に有毒である亜硝酸塩の、土中での蓄積につながりうる。皮膚上で、アルカリ剤の添加は、ｐＨを上昇させ、そして亜硝酸塩の酸化を阻害しより高い濃度にする。従って、アルカリ化合物を利用することで、亜硝酸塩の濃度を高めることができうる。タルクは本質的に中性である一方、往々にして不純物として炭酸カルシウム及びマグネシウムを含有する。次いで少量のこれらは、乾燥時に皮膚をアルカリ性にするが、発汗によってｐＨは下がり、そして増加した亜硝酸塩は、ＮＯへの転換に利用できるだろう。皮膚上の亜硝酸塩の濃度を下げる細菌、例えばニトロバクターを阻害することは、更なる一酸化窒素放出を促すのに有用な方法である。代わりに、ニトロバクターは、その後硝酸塩の生産を高めるだろうから含まれて良い。その後、ヒトの皮膚上でこの硝酸塩及び他の有機化合物を利用し亜硝酸塩を形成する他の細菌を利用できうる。
【００７２】
これに関して有用な細菌は、ヒトの汗の通常の成分をＮＯ前駆体へと代謝する細菌である。これらは例えば、尿素を亜硝酸塩へ、尿素を硝酸塩へ、硝酸塩を亜硝酸塩へ、尿素をアンモニアへ、亜硝酸塩を硝酸塩へ、そしてアンモニアを亜硝酸塩へすることが挙げられる。ある場合には混合菌株が好ましい。細菌は都合良く入浴の間又は後に適用することができ、そして様々な、石けん、局所用粉末、クリーム、エアロゾル、ゲル及び軟膏に組み込むことができうる。本発明のある局面では、最も汗をかく、例えば、手、足、生殖器の領域、脇の下の領域、首及び頭皮のような体の部分への適用を考える。これらの様々な皮膚領域間での主な違いは、水の活動である。手の皮膚は、手の外気による乾燥作用への暴露が増加することにより、通常靴下及び靴で覆われている足の皮膚よりも乾燥している。様々な系統の細菌が体の様々な領域で力を発揮し、そして全ての種類による混合培養で、増殖及び順化に最適にこれらを増殖させ、そして所定の領域に存在する優先株にすることができるだろう。衣類を又所望の細菌の増殖を促す局所微環境を変える為に着用しても良い。例えば、帽子をかぶることは、毛髪が深いことに近くしそして頭皮をより暖かく且つ湿気のある環境に維持する。
【００７３】
通常の皮膚の環境は比較的乾燥しているので、低い水の張力に順応する細菌には有利である。適度に好塩性のアンモニア酸化細菌は、Ｈａｎｓ−Ｐｅｔｅｒ Ｋｏｏｐｓらにより記載（Ａｒｃｈ． Ｍｉｃｒｏｂｉｏｌ． １０７， ２７７−２８２ （１９７６））されたニトロソコッカス・モビリス（Ｎｉｔｒｏｓｏｃｏｃｃｕｓ ｍｏｂｉｌｌｉｓ）である。この細菌の増殖の幅は広い。例えば増殖の為の至適ｐＨは７．５である一方で、ｐＨ６．５でも尚最大速度の３３％で増殖する。Ｈ．Ｐ． Ｋｏｏｐｓらにより記載（ａｒｃｈ． Ｍｉｃｒｏｂｉｏｌ． （１９９０） １５４ ： ２２４−２４８ ）された、他の好塩性種、ニトロソコッカス・ハロフィルス（Ｎｉｔｒｏｓｏｃｏｃｃｕｓ ｈａｌｏｐｈｉｌｌｕｓ ）は、天然の塩湖における飽和塩溶液から単離された。ニトロソコッカス・オセアヌス（Ｎｉｔｒｏｓｏｃｏｃｃｕｓ ｏｃｅａｎｕｓ）（ＡＴＣＣ１９０７）は好塩性であるが、至適塩濃度は他の２種の間にある。３種の為の至適なＮａＣｌ濃度は、それぞれ２００、７００、及び５００ｍＭのＮａＣｌである。しかしＮ．オセアヌスは尿素を利用し、そして許容アンモニア濃度は塩化アンモニウムとして１１００ｍＭと同じくらい高い濃度である。至適条件での増殖は最も速い一方で、一層の細菌を用いることによっても類似の結果が達成されて良い。故に、Ｎ．モビリスの増殖の為の至適なｐＨは７．５である一方、ある者は、３倍多い細菌をｐＨ６．５で用いることによって同じ亜硝酸塩の生産が達成できる。本発明における細菌の量は多量であって良いので、即ち入浴の２４時間内に生ずるような量よりも何桁も大きいので、これらの細菌の為に至適ではない皮膚のｐＨがそれらの利用を妨げることはない。Ｎ．ハロフィルスは飽和した塩類溶液から単離されたので、ヒトの皮膚の比較的湿気のある環境を容易に生き抜くはずだ。
【００７４】
一酸化窒素を直接生産する細菌もいる。１つの例は、Ａｒｕｒｉｎ Ｒｅｒｕｄｅ らにより記載（Ａｒｃｈ． Ｍｉｃｒｏｂｉｏｌ． （１９９０） １５４ ： １８７−１９１）されたＮ．エウロパエア（Ｎ． ｅｕｒｏｐａｅａ）並びにニトロソビブリオ（Ｎｉｔｒｏｓｏｖｉｂｒｉｏ ）であり、一酸化窒素を直接生産することが証明されている。往々にしてニトロソビブリオは生じた酸が侵食を引き起こす岩石上で増殖することが分かっている。Ｐｏｔｈ及びＦｏｃｈｔら“Ｄｉｎｉｔｒｏｇｅｎ ｐｒｏｄｕｃｔｉｏｎ ｆｒｏｍ ｎｉｔｒｉｔｅ ｂｙ ａ Ｎｉｔｒｏｓｏｍｏｎａｓ ｉｓｏｌａｔｅ”（Ａｐｐｌｅ Ｅｎｖｉｒｏｎ Ｍｉｃｒｏｂｉｏｌ ５２ ： ９５７−９５９）によって、この亜硝酸塩から揮発性の一酸化窒素への還元は、岩石の表層のような生物が増殖する環境から有毒な亜硝酸塩を取り除く生物の為の方法として用いられている。
【００７５】
任意のアンモニア酸化細菌が本発明中で用いられて良い。好適な実施態様において、アンモニア酸化細菌は、以下の特性を有しうるようなものが当業界で容易に知られている。急速にアンモニア及び尿素を亜硝酸塩及び他のＮＯ前駆体に代謝する能力；非病原性；非アレルギー性；芳香のある化合物の非生産者；悪臭のある化合物の非生産者；ヒトの汗の中で生存及び増殖する能力；高塩濃度の条件下で生存及び増殖する能力；及び水の活量が低い条件下で生存及び増殖する能力である。
【００７６】
天然の細菌並びに特性が遺伝子工学技術により改変されている細菌を用いることができうる。細菌の培養技術を上記の特性を有する株単離するのに用いることができうる。純粋な株の混合は、皮膚由来の細菌を単一で培養することに関連する問題、例えば、望ましくない特性を有する病原体及び他の細菌の潜在的な増殖を避けるだろう。しかし、ヒトの汗の組成を摸擬した培地上で皮膚由来の細菌を培養し、そしてそれらの増殖させることは又、一酸化窒素生産速度を高めることに対して有効でありうる。係る細菌を培養及び単離する為の有用な方法は、尿素及びアンモニア＋無機塩を含有するが、従属栄養細菌が利用する有機化合物、例えば糖類及びタンパク質を伴わない培地上でそれらを増殖させることである。独立栄養のアンモニア及びアンモニア酸化細菌を単離する時には、有機栄養培地上での増殖を試みて、独立栄養株が従属栄養細菌で汚染されていないことを確めることが望ましい。
【００７７】
１９９８年、１月１９日にＧａｎｃｚａｒｚｙｋらへ付与された米国特許第４，７２０，３４４号は、アンモニアの亜硝酸塩への転換を最大にする一方で、生じる亜硝酸塩の硝酸塩への転換を最小化する条件下での汚水処理施設の操作を開示している。これは、ニトロソモナスの増殖を招くがニトロバクターの増殖は招かない条件を利用することにより達成されている。これは最も好ましくは汚水の成分ｐＨ及びアンモニアの含有率を、ニトロバクターではなくニトロソモナスの増殖を招くレベルに調節し、そして接触室（ｃｏｎｔａｃｔｉｎｇ ｃｈａｍｂｅｒ）における水理学的滞留時間を、阻害した細菌の回復時間より短かく調節することによって達成されているのが好ましい。
【００７８】
１９９４年、５月２４日にＣａｓｓｉｄｙ らに付与された米国特許第５，３１４，５２４号、ニトロソモナスの増殖及び細菌株（ｂａｃｔｅｒｉａｌ ｃｕｌｔｕｒｅ）の休止状態における棚寿命を伸ばす為の処理並びに代謝活性の急速な回復を生む為のその後の処理を開示している。
【００７９】
１９９２年、８月１８日にＷａｒｅらに付与された米国特許第５，１３９，７９２号は、所定の細菌を動物の餌及び飲み水中へと撹拌することなしに分配し懸濁中の細菌を保つ方法を開示している。
【００８０】
アンモニア酸化細菌株を処理する類似の方法は又、アンモニア酸化細菌が培地中で増殖し、濃縮及び培地から分離され、適切な塩濃度を有する滅菌水中で懸濁され、無菌条件下で保存され、アンモニアの添加により蘇生し、そしてその後皮膚へと適用する、本発明においても有用である。
【００８１】
ヒトの皮膚での定着の為に適切な有用な細菌を単離する方法は、家畜の消化系での定着の為に適切な細菌を単離する為の方法に類似する。アカを健常な個体から収集し、適切な培地へと接種し増殖して特徴を示す。定常連続培養法は経時的な菌株の安定性を確かにする為に用いることができうる。
【００８２】
Ｃａｓｓｉｄｙ ら、米国特許第５，３１４，５４２号の株に沿った、アンモニア酸化細菌株を処理する有用な方法は、アンモニア酸化細菌が培地中で増殖し、その培地から濃縮及び分離され、適切な塩濃度を有する滅菌水中で懸濁し、無菌条件下で保存され、アンモニアの添加により蘇生し、細菌が活発になる時間に渡り行われる。Ｃａｓｓｉｄｙ らは彼らの菌株及びアクアリア（ａｑｕａｒｉａ ）中でのアンモニアを制御する為に用いた細菌の為の保存方法を利用している。細菌を増殖及び処理する為の類似の方法は細菌を生産する為に用いることが出来、次いでそれは本発明中で用いること及び皮膚へと適用することが出来うる。
【００８３】
アンモニア酸化細菌は好気性細菌であり、それらの代謝の為に酸素を必要とし、そして嫌気性の条件下では増殖できない。しかし、それらの多くは又それらの代謝の過程の最終的な電子溜（ｔｅｒｍｉｎａｌ ｅｌｅｃｔｒｏｎ ｓｉｒｋ）として硝酸塩並びに酸素も利用できうる。密封した容器中での長期の保存は、容器を無酸素状態にする危険がある。硝酸塩が酸素の代わりに保存の間の細菌の呼吸の為に利用できうるように、硝酸塩を容器中の流体に添加できうる。その結果ゲル及び棒のような非流体製剤を可能にする。係る製剤の内部の細菌は、それらの酸化基質を、溶存酸素の不在において溶存硝酸塩から生じさせることができる。
【００８４】
本発明の他の実施態様において、尿素、亜硝酸塩及び硝酸塩、鉄、乳酸及び塩は細菌を含んで成る化合物中に含まれて良い又は別々に皮膚へ補給する為に用いられて良い。その理由は、入浴でこれらの水溶性の化合物が取り除かれるからだ。細菌は又入浴の間、又は後に適用されて良く、そして様々な局所用粉末、クリーム、棒、エアロゾル、及び軟膏中に組み込まれて良い。他の化合物は当業者によって選択された時にこれらの化粧品製剤に添加されて良い。化粧品製剤は例えば、水、鉱物油、着色剤、香料、アロエ、グリセリン、塩化ナトリウム、炭酸ナトリウム、ｐＨ緩衝剤、ＵＶ遮断剤、シリコーン油、天然油、ビタミンＥ、ハーブの濃縮物（ｈｅｒｂａｌ ｃｏｎｃｅｎｔｒａｔｅ）、乳酸、クエン酸、タルク、粘土、炭酸カルシウム、炭酸マグネシウム、一酸化亜鉛、デンプン、尿素、及びエリソルビン酸が挙げられる。
【００８５】
アンモニア酸化細菌は、例えば皮膚及び毛髪のような対象者の任意の表層に適用されて良い。好適な実施態様において、細菌は対象者の皮膚に適用されている。一層好適な実施態様において、アンモニア酸化細菌は、頭皮に適用されて良い。その理由は、頭皮は卓越した血液の供給を担うからである。細菌は様々なヘアトリートメント及び道具、例えばコンディショナー、ゲル、ヘアスプレー、ヘアネット、くし、ブラシ、帽子、ヘアピースへと組み込まれて良い。
【００８６】
本発明の他の実施態様は、肉を硬化する為に用いた類似の方法を含む。その理由は、肉を硬化する目的は、一酸化窒素の生産であるからだ。これら酸洗い塩水及び硬化組成物は健康上の危険がほとんど存在しないことが期待されている。その理由は、それらはヒトの食用の為に安全であると考えられているからだ。詳細には、亜硝酸塩をアスコルビン酸で処理した時に、一酸化窒素が生産される。亜硝酸塩はアスコルビン酸塩によって還元され一酸化窒素を生じる。通常、現代の肉を硬化する（方法）において、アスコルビン酸塩又はエリソルビン酸塩は亜硝酸塩と用いられ一酸化窒素を生じる。肉の保存において、一酸化窒素は、特有の風味及び色合いの発生につながる化学的な連鎖反応における前駆体である。例えば５未満の低いｐＨでは、一酸化窒素は急速に酸洗い塩水から、これらの化学反応が生ずる前に、急速に失われる。故に、肉の保存の為にはより高いｐＨが推奨されている。亜硝酸塩とエリソルビン酸塩の混合物は１つの係る例であって良い。肉を硬化する製剤と化粧品型の製剤との組み合わせは、類似の効果を達成しうる。細菌、尿素及びエリソルビン酸組み合わせることは好ましい組み合わせでありうる。他の生理学的に許容できる酸も又用いられて良い。
【００８７】
本発明の実施態様の有利な点は、ＮＯの生産が発汗による生理学的な制御の下で誘導されていることである。有機硝酸塩、例えば、ニトログリセリンは時として感情的又は肉体的なストレスの前に用いる為に処方されている。これらは、神経性の発汗が生じる同じ条件である。本発明のある局面は、心臓疾患、血管疾患、インポテンス、及び不妊症の発生の減少であって良い。ＮＯを増強する方法により治療されて良い任意の症状は、本発明を伴う治療、既知の治療、例えば一酸化窒素か又はＮＯドナー物質を、経口的に、局所的に、舌下に、鼻腔内に、注射、吸入によって投与することでさえも修復可能である。例えば、インポテンスはバイアグラＮＯの作用の時間を延長するで治療される。本発明の利用は、バイアグラのような薬剤の利用に対する要請を減少しうる。
【００８８】
本発明から恩恵を受ける為に個体はこれらの疾患のいずれかの臨床症を有する必要はない。本発明は、概して適切な食事、ビタミン摂取、運動又は入浴と同じ方針で予防手段として用いられて良い。疾患は、血管拡張物質ＮＯの共通の作用を介して関連しているので、ある人は、本発明を、心臓疾患の予防及びインポテンスに対する治療効果を受ける為に利用できる。インポテンスは往々にして恥ずべき疾患であるので、汎用の健康の強壮剤として偽装できうるインポテンスの治療が有利である。
【００８９】
本発明の他の実施態様において、細菌は、ヒトではない脊椎の表層に対して適用されている。家畜、例えばウマ、イヌ、ブタ及びニワトリはほこりの中を転がり、そしてそれにまみれる。尿素は尿及び肥料中で豊富な化合物なので、農家の庭の土に順応して生きている細菌は、尿素を亜硝酸塩にする急速な代謝者であることが予想されるだろう。野生動物は又ほこりで自身を覆っている。係る習性の構性要素は、汗の成分をＮＯ及びＮＯ前駆体へと代謝するだろう細菌を皮膚に接種する又は毛衣に有することのようである。係る細菌の実質的に純粋な株は家畜の健康を向上させそしてその成長を促すだろう。アンモニアは往々にして、多量に動物の餌が豊富な領域（ｆｅｅｄ ｌｏｔ ａｒｅａ ）中に存在する。アンモニアをＮＯまたはＮＯ前駆体へと代謝するだろう細菌は、大気のアンモニアの悪影響を低下させそして動物の集約農業の経済を改善するだろう。他の対象者は、例えば、脊椎動物、例えば、家畜、実験、トランスジェニック、キメラ並びに動物園の動物、例えばウマ、ブタ、ウシ、イヌ、ネコ、ヤギ、ヒツジ、水牛、ロバ、ラバ、ゾウ、ネコ、オオカミ、ラクダ、ラマ、ニワトリ、七面鳥、霊長類、有蹄動物、げっ歯類、チンパンジー、ゴリラ、オラウータン、ネズミ、ラット、及びウサギである。
【００９０】
ある動物の、単一の場所においての彼らの尿及び糞便を堆積する行為は、彼らが亜硝酸塩を生産する細菌を培養し、そして増殖させる為の肥沃な環境を本能的に生産することとして促えることができうる。これらの細菌を彼らの皮膚に再接種する行為を本能的に示す動物は、これらの細菌は容易に皮膚から失われ、そして再接種は動物にとって欠かすことはできないことを示すのだろう。ヒトは一般的に動物よりも頻繁に入浴するので、ヒトの再接種の必要性はそれ相応により高い。
【００９１】
Ｒｕｓｓｅｌｌ；Ｍｅｒｉ Ｃｈａｒｍｙｎｅら付与された米国特許第６，０４５，８２７号及び５，８９１，４７２号（両方とも同じタイトルの「ウマの蹄葉炎の治療」）に記載された。食べすぎによる病気（ｆｏｕｎｄｅｒｉｎｇ）はウマの蹄葉炎の為の治療は、患部に対して局所的に一酸化窒素供与体を適用することを伴う、この症状の治療を含む。ウマのこの重病は、一酸化窒素ドナーの足及び蹄の領域への適用により治療されている。他の一酸化窒素の供与体を有するので、ニトログリセリンが用いられている。ウマは野生において、泥の中で排尿し、亜硝酸塩形成する細菌を増殖させ、そして亜硝酸塩を活発に生産する菌株を含有するこの泥の中を歩くことによって、本能的にこれを達成する。現代の馬小屋の習慣は、良いハウスキーピング（ｈｏｕｓｅ ｋｅｅｐｉｎｇ ）及びウマが歩く所の尿及び糞便の蓄積の除去を必要とする。有蹄動物は全て足及び蹄の類似の疾患にかかる。従って、有蹄動物は全て、適切なアンモニア酸化細菌を適用することによる恩恵を受けうる。
【００９２】
Ｐｅｒｒｙ らに付与された米国特許第５，７６５，５４８号は、激しい運動の間にウマによって呼吸された空気と混合された一酸化窒素の利用、並びに運動の前に、運動によって誘発される肺出血の発症、及び症度を減らす効果があるので注射される一酸化窒素増強剤の利用を論じている。毛細血管圧の有意な減少がＰｅｒｒｙ によって示された。ウマの皮膚に対する適切なアンモニア酸化細菌の適用は、運動の間の一酸化窒素の天然生産を高める効果を有しうる。この一酸化窒素はウマの皮膚を介して分散し、そして全身的な作用をもたらす循環をするだろう血液中へと吸収されて良い。ある一酸化窒素はウマの周りの大気中へと放出され、そして吸い込まれるだろう。多分、血圧の低下は肺中の空気及び血液の最大流量の増加に形を変え、そして故に運動能力が高まることが推定される。天然の手段を介してこの能力の高まりを達成することは、競馬において有利であろう。競争に類似して、グレーハウンド、役畜、荷物運搬用の動物、及びストレスを受けている動物は又それらの一酸化窒素生産を高めうる。ヒトの競技者も類似して、運動の前、間及び後に一酸化窒素の生産を増加する為に皮膚細菌を利用することによって彼らの能力を高めうる。一般的な競技種目は、例えば徒歩競争、ウェイトリフティング、自転車競走もしくは練習、フットボールの試合もしくは練習、サッカーの試合もしくは練習、バスケットボールの試合もしくは練習、野球の試合もしくは練習、ゴルフの練習もしくは試合、山のぼり、ボクシングの試合もしくは練習、ホッケーの試合もしくは練習、及びテニスの試合もしくは練習が挙げられる。
【００９３】
アンモニア酸化細菌は、対象者の表層に対して直接又は間接的に適用されることによって、当該対象者の表層の極めて近くへと置かれて良い。適切な細菌は、対象者の表層と接触する物品に対して適用することによって間接的に適用されて対象者の表層の極めて近くに置かれて良い。物品は、例えば、寝具製品、例えば、ストロー（ｓｔｒａｗ ）、ウッドシェービング（ｗｏｏｄｓｈａｖｉｎｇｓ）、枕、シーツ、住居の囲い（ｈａｂｉｔａｔ ｅｎｃｌｏｓｕｒｅｓ）、ストール、ブラシ、くし、及びマットレスである。類似して、適切な細菌は、動物が汚物及びペットのトイレに接触した時に、動物対象者が当該細菌と極めて近い状態になるようにするためペットのトイレの製品へと適用されて良い。係るペットのトイレの製品の付け加えられた特徴として、尿中の尿素は、無揮発性の産物へと酸化されて良く、そしてペットのトイレのアンモニア臭は減少するだろう。ペットのトイレはアンモニアの放出よりもむしろ、動物及びヒトの近傍において肺の機能を高め、並びに全身的な効果を供する一酸化窒素を放出するだろう。
【００９４】
本発明のある局面において、物品はアンモニア酸化細菌で処理されている。例えば、物品は、細菌で被覆されている又は含浸されていて良い。好適な実施態様において、細菌で処理されてる物品は、対象者の表層と接する、例えば、衣類、首飾り、及び鞍が挙げられる。
【００９５】
ヒトの対象者の表層と接触する物品、例えばオムツは、アンモニア酸化細菌で処理されて良い。その理由は、オムツは自制心の無い対象者によって生産された尿及び糞便を保持し含むことを意図されているので、尿中の尿素及び糞便は、皮膚及び糞便の細菌によって加水分解でき刺激性であり且つオムツ負けを生じうる遊離アンモニアを形成する。尿素を亜硝酸塩又は硝酸塩へと代謝する細菌の組込みは遊離アンモニアの形成を妨げ且つ亜硝酸塩及び最終的には、子供及び自制心の無い成人の両方に対する健康な皮膚の維持の助けとなりうるＮＯを放出しうる。一酸化窒素のオムツにおける放出は、ヒトの糞便中に存在する疾患の原因微生物に対する抗細菌作用もまた有して良い。この作用は、使い捨てオムツが汚物として捨てられた後も継続し且つ汚れた使い捨てオムツとの接触による病気の伝染の発症率を下げうる。オムツへのアンモニア酸化細菌の添加は、汚れた幼児を洗うことが、従属栄養の尿素を加水分解する細菌のみを皮膚上に残し、アンモニア酸化細菌が増殖できるよりも早くそれらを取り除くことができることに気いた時に有利である。１９８０年代における乳幼児突然死症候群又はＳＩＤＳによる幼児の死亡の流行は、おおよそ使い捨てオムツの普及と一致する。幼児を仰向けにして寝せる「もう一眠りする」計画で、ＳＩＤＳの発症率をおおいに減少させた。仰向けで寝ることとＳＩＤＳの発症率が低いこととの因果関係は捉えにくいままであるが、それは、幼児が仰向けになっている間に、幼児の皮膚と睡眠中に生ずる尿との接触が増加したことが原因であって良い。往々にして、ＳＩＤＳによる犠牲者は、汗で濡れた寝巻きを着ていたことが分かっている。その理由は、一般的に考えられたような過熱が原因であるよりむしろ、静脈が、発汗よって仮死状態の間に一酸化窒素の形成を高めようとしたからだ。
【００９６】
他のそのような処理が出来うる衣類の物品はタンポンである。女性の月経期間中に分泌物が生じる。それは所定の環境下で疾患の原因となる従属栄養の細菌、例えば毒性のショック症状の原因となる細菌、の増殖を後押しできる。酸性化した亜硝酸塩を局所的に適用することは、皮膚のイースト菌（ｙｅａｓｔ）感染症に対する治療効果が示されているのと同時に、これらの細菌の膣への適用は、膣内イースト菌感染症に治療効果があり且つ予防に役立つべきであることが期待されている。膣を疾患の原因となる生物に対する快適性が少ない状態にすることによって、性感染症の伝染の発症率を減少できうる。
【００９７】
これらの細菌の女性による膣内での適用は又、更なる一酸化窒素を彼女のパートナーの性器へと性交の間に提供することによって、男性パートナーの性的な行いが又高められる。唾液中の亜硝酸塩は、男性の生殖器への唾液を適用するインポテンスに対する民間療法の基礎を提供するのと同時に、女性生殖器に対する唾液の適用の刺激作用も又その基礎を唾液の成分の亜硝酸塩に有する。一酸化窒素の生産を高めることにより本発明は、男性及び女性両方の性的機能を高めることにおける類似の恩恵を供しうる。
【００９８】
他の衣類の物品、例えば靴、靴インサート（ｓｈｏｅ ｉｎｓｅｒｔ ）、パジャマ、スニーカー、ベルト、帽子、シャツ、下着、運動着、ヘルメット、タオル、グローブ、靴下、包帯等は又アンモニア酸化細菌で亜処理されて良い。寝具、例えばシーツ、枕、ピローケース、及び毛布も又アンモニア酸化細菌で処理されて良い。本発明のある実施態様において、ある期間に渡り洗うことが出来ない皮膚の領域も又アンモニア酸化細菌と接触されて良い。詳細には、治癒する過程で、傷ついた手足を固定化する整形外科のギプス包帯で包まれた皮膚、並びに適切な治癒の為に縫い傷のような乾燥させておかねばならない傷に近い領域が又アンモニア酸化細菌との接触により恩恵を受けても良い。
【００９９】
頭部及び頭皮について着用する物品はアンモニア酸化細菌で処理されて良いことが考えられている。皮膚の表層から離れて、毛髪上で形成された一酸化窒素は、帽子、スカーフ又はフェースマスク中に捕らえられて良く、そして吸い込まれる空気中に導かれる。
【０１００】
入浴の頻度が減少した人々、例えば、宇宙飛行士、潜水艦の乗組員、軍事活動中の軍人、遠隔地にいる民間の労働者、難民、寝たきりの人々及び他の多くは、本発明に係る皮膚細菌を維持することによって、より健康に皮膚を保ちうる。床ずれは、血流の妨害により生ずる一般的現象である。本発明は、不十分な循環の問題を改善しそして正常化することが期待されている。
【０１０１】
本発明の他の局面は従属栄養細菌の増殖を阻害する細菌の利用を含む。体臭は、ある程度、皮膚上での細菌の代謝産物に由来する。一日かそこらにおける皮膚の臭気の発生は、速く増殖する従属栄養細菌が芳香のある化合物を生じることを示す。アンモニア酸化細菌は、従属栄養細菌の増殖を阻害することによって、生産される悪臭を減少しうる。従って、本発明は又体臭を減らすのに用いられても良く、単独で又は他のデオドラント型の化粧品製剤との組み合わせにおいて用いられても良い。
【０１０２】
他の実施態様において、衣類、例えばコンドーム、及びコッドピースは、適切な細菌で処理されても良い。男性の性器には、性交の間の適切な機能の為に一酸化窒素が必要であることが知られている。物品を着用することにより発生する一酸化窒素による刺激は性行為を考慮する男性対象者にとって有利でありうる。類似して、例えば、シーツ、毛布、スリップカバー、ピローケースのような性行為の為に用いられる家具の繊維の加工の処理も又効果があるだろう。
【０１０３】
アンモニア酸化細菌は、直接対象者の表層と接触する物品の表層上に位置して良い。代わって、細菌は、対象者の表層において接触する際に直接ではなく、生体流体に曝露さてれも良い。詳細には、オムツ、タンポン、又は包帯はアンモニア酸化細菌で処理した内側の相を有して良く、そして生体流体、一酸化窒素、及び又は一酸化窒素前駆体を透過できる１つ以上の相を有して良い。これらの相は細菌を透過できる必要は無い。アンモニア酸化細菌は、アンモニア以外は他の化合物をエネルギーの為に利用できないので、それらは傷口に感染することはできない。それらはアレルゲン性でありうるが、従属栄養細菌の増殖の阻害がアレルギーに対しての潜在性を上回って良い。
【０１０４】
様々な細菌は様々な適用の為には最も適切であろうことが考えられている。従って、とても高いレベルの亜硝酸塩生産の為に適合した細菌は、オムツ、動物の寝床（ａｎｉｍａｌ ｂｅｄｄｉｎｇ）において用いる為に、そして他の非接触の適用において用いる為に理想的でありうる。高い亜硝酸塩レベルは又皮膚を、熱帯の環境における広範囲な冒険の間に感染症から保護する為、軍人型の適用の為、又はえり抜きの競技者、ヒト及びヒトでは無い脊椎動物の能力の向上の為に有用であろう。
【０１０５】
独立栄養のアンモニア酸化細菌が一酸化窒素及び一酸化窒素前駆体の生産では最も活性であることが期待されている一方で、より少ない量を生産する他の細菌も又用いられて良い。これらは、ある環境において、例えば、一酸化窒素生産のよりよい制御が求められる時に望まれて良い。他の細菌は、例えば、酸の生産によりｐＨを制御するような、他の目的の為に含むことが出来うる。
【国際公開パンフレット】
2004506028.tif 000002
2004506028.tif 000003
2004506028.tif 000004
2004506028.tif 000005
2004506028.tif 000006
2004506028.tif 000007
2004506028.tif 000008
2004506028.tif 000009
2004506028.tif 000010
2004506028.tif 000011
2004506028.tif 000012
2004506028.tif 000013
2004506028.tif 000014
2004506028.tif 000015
2004506028.tif 000016
2004506028.tif 000017
2004506028.tif 000018
2004506028.tif 000019
2004506028.tif 000020
2004506028.tif 000021
2004506028.tif 000022
2004506028.tif 000023
2004506028.tif 000024
2004506028.tif 000025
2004506028.tif 000026
2004506028.tif 000027
2004506028.tif 000028
2004506028.tif 000029
2004506028.tif 000030
2004506028.tif 000031
2004506028.tif 000032
2004506028.tif 000033
2004506028.tif 000034
2004506028.tif 000035
2004506028.tif 000036
【国際調査報告】
2004506028.tif 000037